Podtech/llm-jp-corpus-v4-ja_patent huggingface dataset:
【手続補正書】
【提出日】平成16年10月20日(2004.10.20)
【手続補正１】
【補正対象書類名】特許請求の範囲
【補正対象項目名】請求項１
【補正方法】変更
【補正の内容】
【請求項１】
特にプラスチック材料からなるカード等の物品（２０）の、好適には熱転写式印刷用のプリンターであって、前段から後段へ、充填装置（１）から物品（２０）を排出するための駆動エレメントと協働可能な、印刷される物品の充填装置（１）と、印刷装置（２）と、充填装置（１）の出口（１８）から印刷装置（２）まで、また印刷装置（２）から印刷された物品（２０）の回収手段まで物品（２０）を逐次導く搬送手段（３）とを含むプリンタにして、充填装置（１）から物品（２０）を排出するための駆動エレメントは、充填装置（１）の壁に設けられた開口部（５）を介して物品（２０）と接触するシリンダ（４）から成り、搬送手段（３）と共通のモーター（６）によって駆動され、充填装置（１）のシリンダ（４）と物品（２０）との接触は隔離装置（７）によって逐次遮断され、該遮断装置は機械的な結合手段（８）によって印刷装置（２）のモーター（９）に結合され、これによって駆動されることを特徴とするプリンタ。
【手続補正２】
【補正対象書類名】明細書
【補正対象項目名】０００５
【補正方法】変更
【補正の内容】
【０００５】
本発明によれば、上記目的を達成するためのプリンタとして、特にプラスチック材料からなるカード等の物品（２０）の、好適には熱転写式印刷用のプリンターであって、前段から後段へ、充填装置（１）から物品（２０）を排出するための駆動エレメントと協働可能な、印刷される物品の充填装置（１）と、印刷装置（２）と、充填装置（１）の出口（１８）から印刷装置（２）まで、また印刷装置（２）から印刷された物品（２０）の回収手段まで物品（２０）を逐次導く搬送手段（３）とを含むプリンタにして、充填装置（１）から物品（２０）を排出するための駆動エレメントは、充填装置（１）の壁に設けられた開口部（５）を介して物品（２０）と接触するシリンダ（４）から成り、搬送手段（３）と共通のモーター（６）によって駆動され、充填装置（１）のシリンダ（４）と物品（２０）との接触は隔離装置（７）によって逐次遮断され、該遮断装置は機械的な結合手段（８）によって印刷装置（２）のモーター（９）に結合され、これによって駆動されることを特徴とするプリンタが提供される。
【手続補正３】
【補正対象書類名】図面
【補正対象項目名】図１
【補正方法】変更
【補正の内容】
【図１】
2005502557.tif 000001
【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
粗製のリン酸エステル生成物を精製する方法において、該粗製の生成物をキレート化剤組成物で洗浄し、そして次いで任意的に水で洗浄すること、得られた生成物を乾燥すること、そして得られた乾燥された生成物を酸スカベンジャーで処理することから本質的になるところの方法。
【請求項２】
酸スカベンジャーがエポキシ含有化合物であるところの請求項1記載の方法。
【請求項３】
エポキシ含有化合物が3,4-エポキシシクロヘキシルメチル-3,4-エポキシシクロヘキシルカルボキシレートであるところの請求項2記載の方法。
【請求項４】
キレート化剤組成物での洗浄が、40℃〜90℃の温度で行われるところの請求項1記載の方法。
【請求項５】
酸スカベンジャーでの処理が、25℃〜200℃の温度で行われるところの請求項1記載の方法。
【請求項６】
エポキシ化合物の当量数が、粗製のリン酸エステルの酸価に基づいて、粗製のリン酸エステル中に存在する酸の当量数以上であるところの請求項2記載の方法。
【請求項７】
リン酸エステルが、40℃〜200℃の範囲の温度でエポキシドと共に加熱されるところの請求項1記載の方法。
【請求項８】
リン酸エステルが、式
【化１】
2005502588.tif 000001
(ここで、Arはアリール又はアルカリール基であり、Rはアリーレン又はアルキレン基であり、かつnは0〜5である)
により示されるところの請求項1記載の方法。
【請求項９】
Arがフェニルであり、かつ-O-R-O-がビスフェノールA残基であるところの請求項8記載の方法。
【請求項１０】
Arがフェニルであり、かつ-O-R-O-がレゾルシノール残基であるところの請求項8記載の方法。
【請求項１１】
式
【化２】
2005502588.tif 000002
(ここで、Arはアリール又はアルカリール基であり、Rはアリーレン又はアルキレン基であり、かつnは0〜5である)
により示されるリン酸エステルの粗製の生成物を精製する方法であって、該粗製の生成物を酸性の水性溶液で洗浄すること、そして次いで任意的に水で洗浄すること、得られた生成物を乾燥すること、そして得られた生成物を酸スカベンジャーで処理することを含む方法。
【請求項１２】
酸スカベンジャーがエポキシ含有化合物であるところの請求項11記載の方法。
【請求項１３】
酸スカベンジャーが3,4-エポキシシクロヘキシルメチル-3,4-エポキシシクロヘキシルカルボキシレートであるところの請求項12記載の方法。
【手続補正書】
【提出日】平成17年2月28日(2005.2.28)
【手続補正１】
【補正対象書類名】特許請求の範囲
【補正対象項目名】全文
【補正方法】変更
【補正の内容】
【特許請求の範囲】
【請求項１】
逆相液体クロマトグラフィーカラム上に混合物を負荷すること、および１，５−ペンタンジオール、１，６−ヘキサンジオール、１，７−ヘプタンジオールからなる群から選択されたジオールを含有する緩衝液を用いてカラムから分子を溶離することを含む、混合物から分子を精製するための方法。
【請求項２】
分子がポリペプチドである、請求項１に記載の方法。
【請求項３】
分子がヒト成長ホルモンおよび成長ホルモン拮抗物質からなる群から選択される、請求項２に記載の方法。
【請求項４】
分子がペプチドである、請求項１に記載の方法。
【請求項５】
ペプチドがα−ＭＳＨ，エンケファリン、ソマトスタチンおよびソマトトロピンからなる群から選択される、請求項４に記載の方法。
【請求項６】
ジオールが１，６−ヘキサンジオールである、請求項１に記載の方法。
【請求項７】
カラムが高速液体クロマトグラフィーカラムである、請求項１に記載の方法。
【請求項８】
カラムが分取カラムである、請求項１に記載の方法。
【請求項９】
カラムの直径が約５ｃｍから約２．０ｍである、請求項１に記載の方法。
【請求項１０】
カラムの直径が約１０ｃｍから約１００ｃｍである、請求項９に記載の方法。
【請求項１１】
カラムがポリマー樹脂を含んでいる、請求項１に記載の方法。
【請求項１２】
ポリマー樹脂がスチレンジビニルベンゼンである、請求項１１に記載の方法。
【請求項１３】
ポリマー樹脂がメタクリレートまたはアクリルである、請求項１１に記載の方法。
【請求項１４】
カラムに混合物を充填層容積１リットル当たり分子約１．０ｇから約２５．０ｇの割合で負荷する、請求項１１に記載の方法。
【請求項１５】
ポリペプチドが成長ホルモン拮抗物質である、請求項３に記載の方法。
【請求項１６】
ポリペプチドがヒト成長ホルモンである、請求項３に記載の方法。
【請求項１７】
緩衝液のｐＨが約２．０から約１２である、請求項１に記載の方法。
【請求項１８】
緩衝液のｐＨが約７．０から約１１．０である、請求項１７に記載の方法。
【請求項１９】
緩衝液のｐＨが約６．０から約８．０である、請求項１８に記載の方法。
【請求項２０】
緩衝液中での１，６−ヘキサンジオールの濃度が約０％〜約８０％である、請求項７に記載の方法。
【請求項２１】
緩衝液中での１，６−ヘキサンジオールの濃度が約０％〜約５０％である、請求項２０に記載の方法。
【請求項２２】
分子のさらなる精製をさらに含んでいる、請求項１に記載の方法。
【手続補正書】
【提出日】平成16年12月20日(2004.12.20)
【手続補正１】
【補正対象書類名】特許請求の範囲
【補正対象項目名】請求項２
【補正方法】変更
【補正の内容】
【請求項２】
前記式(I)の化合物が少なくとも1つの「-U-V」部分を含み、
該Uは、
(a)酸素；
(b)硫黄；または
(c)-N(Ra)Riであり、
該Vは、
(a)-NO；または
(b)-NO2である、
請求項1記載の化合物。
【手続補正２】
【補正対象書類名】特許請求の範囲
【補正対象項目名】請求項１５
【補正方法】変更
【補正の内容】
【請求項１５】
治療的有効量の少なくとも1つの式(I)の化合物またはその薬学的に許容される塩および少なくとも1つの3-ヒドロキシ-3-メチルグルタリルコエンザイムA、抗血小板薬、トロンビン阻害剤、またはトロンボキサン阻害剤を必要な患者に投与する段階を含み、該式(I)の化合物が少なくとも1つの「-U-V」部分を含み、
該Uは、
(a)酸素；
(b)硫黄；または
(c)-N(Ra)Riであり、
該Vは、
(a)-NO；または
(b)-NO2である、
患者のCOX-2選択的阻害剤の心血管プロフィールを改善させる方法。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】  眼内潅流溶液であって、当該溶液に増大された粘度を付与するのに充分な量の粘度調節剤および製剤用の眼科上で許容されるベヒクルを含有する改良された眼内潅流溶液。
【請求項２】  溶液が、当該溶液に１ｃｐｓよりも大きい粘度を付与するのに充分な量の粘度調節剤を含有する、請求項１に記載の改良された溶液。
【請求項３】  溶液が、当該溶液に１ｃｐｓよりも大きく、１５ｃｐｓまでの粘度を付与するのに充分な量の粘度調節剤を含有する、請求項２に記載の改良された潅流溶液。
【請求項４】  溶液が、当該溶液に２〜７ｃｐｓの粘度を付与するのに充分な量の粘度調節剤を含有する、請求項３に記載の改良された潅流溶液。
【請求項５】  粘度調節剤が、プロテオグリカン類、セルロース誘導体、コラーゲンまたは変性コラーゲン、ガラクトマンナン類、キサンタンガム類、ゲランガム類、アルギネート、キトサン類、ポリビニルアルコール、およびカルボキシビニルポリマーからなる群から選択される、請求項１に記載の改良された潅流溶液。
【請求項６】  粘度調節剤が、ヒドロキシプロピルメチルセルロースを含有する、請求項５に記載の改良された潅流溶液。
【請求項７】  当該溶液に４０〜６０ダイン／ｃｍの範囲の表面張力を付与するのに充分な量の表面張力修正剤をさらに含有する、請求項１に記載の改良された潅流溶液。
【請求項８】  当該溶液の増大された粘度が、眼内外科手術処置期間における当該溶液の乱流を減少させる、請求項１に記載の改良された潅流溶液。
【請求項９】  眼内外科手術処置期間中における眼内潅流溶液の乱流を減少させる方法であって、眼内組織に請求項１に記載の溶液を潅流させることを包含する、上記減少方法。
【手続補正書】
【提出日】平成16年10月21日(2004.10.21)
【手続補正１】
【補正対象書類名】特許請求の範囲
【補正対象項目名】全文
【補正方法】変更
【補正の内容】
【特許請求の範囲】
【請求項１】
配列中に、超可変領域ＣＤＲ１、ＣＤＲ２およびＣＤＲ３を含む少なくとも１つのドメインを含む少なくとも１つの抗原結合部位を含むＣＤ２５結合分子であって、当該ＣＤＲ１はアミノ酸配列Ａｒｇ−Ｔｙｒ−Ｔｒｐ−Ｍｅｔ−Ｈｉｓを有し、当該ＣＤＲ２はアミノ酸配列Ａｌａ−Ｉｌｅ−Ｔｙｒ−Ｐｒｏ−Ｇｌｙ−Ａｓｎ−Ｓｅｒ−Ａｓｐ−Ｔｈｒ−Ｓｅｒ−Ｔｙｒ−Ａｓｎ−Ｇｌｎ−Ｌｙｓ−Ｐｈｅ−Ｇｌｕ−Ｇｌｙを有し、かつ当該ＣＤＲ３はアミノ酸配列Ａｓｐ−Ｔｙｒ−Ｇｌｙ−Ｔｙｒ−Ｔｙｒ−Ｐｈｅ−Ａｓｐ−Ｐｈｅを有する分子、またはそれらの直接的均等物。
【請求項２】
basiliximabまたはdaclizumabである、請求項１のＣＤ２５結合分子。
【請求項３】
ステロイド耐性患者における、自己免疫肝炎、喘息、湿疹、血管炎、側頭動脈炎、全身性紅斑狼瘡、白血病、糸球体腎炎、多発性硬化症、潰瘍性大腸炎、類肉腫およびクローン病の予防または処置のための医薬組成物であって、請求項１または請求項２に記載のＣＤ２５結合分子と、そのための薬学的に許容される担体または希釈剤を含む、組成物。
【請求項４】
ステロイド感受性または耐性患者における、自己免疫肝炎、喘息、湿疹、血管炎、側頭動脈炎、全身性紅斑狼瘡、白血病、糸球体腎炎、多発性硬化症、潰瘍性大腸炎、類肉腫およびクローン病の予防または処置のための方法であって、当該対象に、有効量のａ）請求項１または請求項２のＣＤ２５結合分子およびｂ）ステロイドを投与することを含む方法において用いるための治療的組み合わせであって、請求項１または請求項２に記載のＣＤ２５結合分子、およびステロイドを含む、組み合わせ。
【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】  不飽和アミノ酸又はその塩若しくはエステルのエナンチオマーの骨格へのカップリングによる、式(I)を有する葉酸拮抗化合物の合成方法であって、前記方法は、前記エナンチオマー及び骨格を非極性非プロトン溶媒、及びカップリング試薬と立体選択試薬とで構成されたカップリング剤混合物に溶解する工程；及び得られた混合物を所定時間撹拌し、式(I)の化合物を形成する工程を含む方法：
Ｘ−Ｒ1−Ｒ2−ＣＯ−Ａ  (I)
式中Ｘ−Ｒ1−Ｒ2−ＣＯが骨格であり、Ｘは芳香族縮合環複素環系であり；Ｒ1は低級アルキレン、又は水素原子が１以上の低級アルキル、ハロゲン、アリール若しくは複素環部分で置換されている低級アルキレン、あるいはＲ1は−ＣＲ3Ｒ4ＮＲ5−であり；Ｒ2はアリーレン、シクロアルキレン又はヘテロシクリレンであり；Ｒ3、Ｒ4及びＲ5は、個々にアリール、アミド、水素、低級アルキル、低級アルケニル、又は低級アルキニル、又はそれらの置換類似物、あるいは保護基であり；Ａはアミノ酸又はアミノ酸エステル残基である。
【請求項２】  前記溶媒がＮ−メチルピロリドンである請求項１記載の方法。
【請求項３】  前記アミノ酸がγ−メチレングルタミン酸又はそのエステル若しくはその塩である請求項１記載の方法。
【請求項４】  前記エナンチオマーがＬ−エナンチオマーである請求項１記載の方法。
【請求項５】  前記アミノ酸がＬ−γ−メチレングルタミン酸又はそのエステル若しくはその塩である請求項３記載の方法。
【請求項６】  Ｘが２環縮合系であり１以上の環原子が窒素である請求項１記載の方法。
【請求項７】  前記立体選択試薬がベンゾトリアゾール又はＮ−ヒドロキシベンゾトリアゾールを含む請求項１記載の方法。
【請求項８】  前記カップリング剤混合物がＮ−（３−ジメチルアミノプロピル）Ｎ’−エチル  カルボジイミドを含む請求項１記載の方法。
【請求項９】  式（Ｉ）を有する複合葉酸拮抗化合物のエナンチオマーを優先的に合成する方法であって、前記方法は、反応混合物中で不飽和アミノ酸又はその塩若しくはエステルのエナンチオマーを骨格にカップリングする工程；及び前記反応混合物から所望の葉酸拮抗化合物のエナンチオマーを回収する工程を含む方法：
Ｘ−Ｒ1−Ｒ2−ＣＯ−Ａ  （Ｉ）
式中Ｘ−Ｒ1−Ｒ2−ＣＯは骨格であり、Ｘは芳香族縮合環複素環系であり；Ｒ1は低級アルキレン、又は水素原子が１以上の低級アルキル、ハロゲン、アリール若しくは複素環部分で置換されている低級アルキレン、あるいはＲ1は−ＣＲ3Ｒ4ＮＲ5−であり；Ｒ2はアリーレン、シクロアルキレン又はヘテロシクリレンであり；Ｒ3、Ｒ4及びＲ5は個々にアリール、アミド、水素、低級アルキル、低級アルケニル、又は低級アルキニル、又はそれらの置換類似物、あるいは保護基であり；Ａはアミノ酸又はアミノ酸エステル残基である。
【請求項１０】  前記複合葉酸拮抗化合物のエナンチオマーがＬ−エナンチオマーである請求項９記載の方法。
【請求項１１】  さらに、前記アミノ酸のエナンチオマー及び前記骨格を非プロトン溶媒及びカップリング剤混合物に溶解する工程を含む請求項９記載の方法。
【請求項１２】  前記カップリング剤混合物がカップリング試薬及び立体選択試薬を含む請求項１１記載の方法。
【請求項１３】  前記立体選択試薬がベンゾトリアゾール又はＮ−ヒドロキシベンゾトリアゾールを含む請求項１１記載の方法。
【手続補正２】
【補正対象書類名】明細書
【補正対象項目名】００２３
【補正方法】変更
【補正の内容】
【００２３】
本発明の方法は、好ましくは、トリエチルアミン等の少量の有機塩基を添加することにより、塩基性の溶液中において実行される。反応混合物の好ましいｐＨは７．５〜９．０である。
【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
ドーパミン作動性神経末端においてもまた作用する少なくとも１種のコリンエステラーゼ阻害剤、およびオピオイド受容体系を調節する少なくとも１種の物質を含む、ニコチン依存症の薬物療法のための、活性成分配合体。
【請求項２】
コリンエステラーゼ阻害剤が、ガランタミンまたはデオキシペガニンの遊離塩基、塩および付加化合物の形態、ならびに薬理学的に許容し得るそれらの誘導体を含む群から選択されることを特徴とする、請求項１に記載の活性成分配合体。
【請求項３】
オピオイド受容体系を調節する物質またはオピオイド受容体系を調節する物質の少なくとも１種が、ナルトレキソン、ナルメフェン、ナロキソン、ナロルフィン、ナルブフィン、ならびに薬薬理学的に許容し得るそれらの塩、誘導体および付加化合物を含む群から選択されることを特徴とする、請求項１または２に記載の活性成分配合体。
【請求項４】
オピオイド受容体系を調節する物質またはオピオイド受容体系を調節する物質の少なくとも１種が、塩酸ナルトレキソン、臭化水素酸ナルトレキソンおよび５’−（４−クロロフェニル）−１７−（シシクロプロピルメチル）−６，７−ジデヒドロ−３，１４−ジヒドロキシ−４，５α−エポキシピリド［２’，３’：６，７］モルフィナンを含む群から選択されることを特徴とする、請求項３に記載の活性成分配合体。
【請求項５】
オピオイド受容体系を調節する物質またはオピオイド受容体を調節する物質の少なくとも１種が、シクラゾシンおよびペンタゾシンの、２種の立体異性体の形態および混合物、ならびに薬理学的に許容し得るそれらの塩および誘導体を含む群から選択されることを特徴とする、請求項１または２に記載の活性成分配合体。
【請求項６】
ガランタミンあるいはその薬理学的に許容し得る塩、付加化合物もしくは誘導体の投与される一回量が、好ましくは１〜５０ｍｇの範囲である医薬製剤の形態であるか、または、デオキシペガニンあるいはその薬理学的に許容し得る塩、付加化合物もしくは誘導体の投与される一回量が、好ましくは１０〜５００ｍｇの範囲である医薬製剤の形態であることを特徴とする、請求項１〜５のいずれかに記載の活性成分配合体。
【請求項７】
ナルトレキソンあるいはその薬理学的に許容し得る塩、付加化合物もしくは誘導体の投与される一回量が、１〜２００ｍｇの範囲である医薬製剤の形態でるか、または、シクラゾシンまたはペンタゾシン、あるいはそれらの薬理学的に許容し得る塩もしくは誘導体の投与される一回量が、５〜１００ｍｇの範囲である医薬製剤の形態であることを特徴とする、請求項１〜６のいずれかに記載の活性成分配合体。
【請求項８】
デポー効果を有する医薬製剤の形態であることを特徴とする、請求項１〜７のいずれかに記載の活性成分配合体。
【請求項９】
経口投与される医薬の形態であることを特徴とする、請求項１〜８のいずれかに記載の活性成分配合体。
【請求項１０】
非経口投与される医薬の形態であることを特徴とする、請求項１〜９のいずれかに記載の活性成分配合体。
【請求項１１】
経皮投与される医薬の形態であることを特徴とする、請求項１０に記載の活性成分配合体。
【請求項１２】
ニコチン依存症の薬物療法における、請求項１〜１１のいずれかに記載の活性成分配合体の使用。
【請求項１３】
ニコチン依存症の薬物療法用の医薬製剤の製造における、請求項１〜５のいずれかに記載の活性成分配合体の使用。
【請求項１４】
医薬製剤が、経口投与剤の形態で製造されることを特徴とする、請求項１３に記載の使用。
【請求項１５】
医薬製剤が、非経口投与剤の形態で製造されることを特徴とする、請求項１３に記載の使用。
【請求項１６】
医薬製剤が、経皮投与剤の形態で製造されることを特徴とする、請求項１５に記載の使用。
【請求項１７】
医薬製剤が、ガランタミン、その薬理学的に許容し得る塩、付加化合物もしくは誘導体の投与される一回量を、１〜５０ｍｇの範囲で含むこと、または、デオキシペガニン、その薬理学的に許容し得る塩、付加化合物もしくは誘導体の投与される一回量を、１０〜５００ｍｇの範囲で含むことを特徴とする、請求項１２〜１６のいずれかに記載の使用。
【請求項１８】
医薬製剤が、ナルトレキソン、その薬理学的に許容し得る塩、付加化合物もしくは誘導体の投与される一回量を、１〜２００ｍｇの範囲で含むこと、または、シクラゾシンまたはペンタゾシン、それらの薬理学的に許容し得る塩もしくは誘導体の投与される一回量を、５〜１００ｍｇの範囲で含むことを特徴とする、請求項１２〜１７のいずれかに記載の使用。
【請求項１９】
請求項１〜１１のいずれかに記載の活性成分配合体を投与することを特徴とする、ニコチン依存症の薬物療法のための方法。
【手続補正書】
【提出日】平成16年7月20日(2004.7.20)
【手続補正１】
【補正対象書類名】明細書
【補正対象項目名】００１７
【補正方法】変更
【補正の内容】
【００１７】
Ｔβ４は、多数の組織および細胞タイプに局在しており、したがってＴβ４の産生を刺激する物質を添加することができる、あるいは組織および／または細胞からのＴβ４産生をもたらす組成物を含むことができる。このような物質には、インスイリン様成長因子（ＩＧＦ−１）、血小板由来成長因子（ＰＤＧＦ）、表皮成長因子（ＥＧＦ）、β型トランスフォーミング成長因子（ＴＧＦ−β）、塩基性線維芽細胞成長因子（ｂＦＧＦ）、サイモシンα１（Ｔα１）および血管内皮成長因子（ＶＥＧＦ）のような成長因子ファミリーのメンバーが含まれる。より好ましくは、この物質はβ型トランスフォーミング成長因子（ＴＧＦ−β）またはＴＧＦ−βスーパーファミリーの他のメンバーである。本発明のＴβ４組成物は、細胞外基質沈着、細胞遊走および血管新生を通して結合組織の成長を達成することによって心筋障害の影響を軽減することができる。
【手続補正書】
【提出日】平成16年4月6日(2004.4.6)
【手続補正１】
【補正対象書類名】特許請求の範囲
【補正対象項目名】全文
【補正方法】変更
【補正の内容】
【特許請求の範囲】
【請求項１】
式
【化１】
2005502649.tif 000001
（式中、
Ａｒは、場合によりハロゲンまたは（Ｃ1〜Ｃ6）アルコキシにより置換された、ナフチルまたはフェニルであり；
Ｒ1は、（Ｃ1〜Ｃ6）アルキルであり；
Ｒ2は、水素または（Ｃ1〜Ｃ6）アルキルである）
の化合物またはその薬学的に許容され得る塩もしくは溶媒化合物。
【請求項２】
Ａｒが置換されていないナフチルである、請求項１記載の化合物。
【請求項３】
化合物が
１−〔２−メトキシ−５−（ナフタレン−１−スルホニル）−フェニル〕−ピペラジン、または
１−〔２−メトキシ−５−（ナフタレン−２−スルホニル）−フェニル〕−ピペラジン
である、請求項２記載の化合物。
【請求項４】
Ａｒが、フルオロまたはメトキシにより置換されたナフチルである、請求項１記載の化合物。
【請求項５】
化合物が
１−〔５−（４−フルオロ−ナフタレン−１−スルホニル）−２−メトキシフェニル〕−ピペラジン、または
１−〔２−メトキシ−５−（４−メトキシ−ナフタレン−１−スルホニル）−フェニル〕−ピペラジン
である、請求項２記載の化合物。
【請求項６】
Ａｒが置換されていないフェニルである、請求項１記載の化合物。
【請求項７】
化合物が
１−（５−ベンゼンスルホニル−２−メトキシ−フェニル）−ピペラジン
である、請求項６記載の化合物。
【請求項８】
Ａｒが、メトキシ、フルオロまたはクロロにより置換されたフェニルである、請求項１記載の化合物。
【請求項９】
化合物が
１−〔５−（４−クロロ−ベンゼンスルホニル）−２−メトキシ−フェニル〕−ピペラジン、
１−〔２−メトキシ−５−（４−メトキシ−ベンゼンスルホニル）−フェニル〕−ピペラジン、
１−〔５−（３−フルオロ−ベンゼンスルホニル）−２−メトキシ−フェニル〕−ピペラジン、
１−〔５−（３−クロロ−ベンゼンスルホニル）−２−メトキシ−フェニル〕−ピペラジン、
１−〔５−（４−クロロ−ベンゼンスルホニル）−２−メトキシ−フェニル〕−４−メチル−ピペラジン、
１−〔５−（３，４−ジクロロ−ベンゼンスルホニル）−２−メトキシ−フェニル〕−ピペラジン、
１−〔５−（３，５−ジクロロ−ベンゼンスルホニル）−２−メトキシ−フェニル〕−ピペラジン、または
４−〔５−（４−クロロ−ベンゼンスルホニル）−２−メトキシ−フェニル〕−４−メチル−ピペリジン
である、請求項８記載の化合物。
【請求項１０】
請求項１記載の少なくとも１種の化合物の治療的に有効な量を、少なくとも１種の薬学的に許容され得る担体との混合物で含む医薬。
【請求項１１】
５−ＨＴ６レセプターに関連する病気の処置のための、請求項１０記載の医薬。
【請求項１２】
請求項１記載の式Ｉの化合物の製造方法であって、
ai）式（b）
【化２】
2005502649.tif 000002
（式中、Ｐは保護基であり、Ｒ1は請求項１に定義したとおりである）
の化合物を、一般式
【化３】
2005502649.tif 000003
（式中、Ａｒは請求項１に定義したアリールである）
の化合物と反応させること、
aii）脱保護すること、および
aiii）場合によりアルキル化して、式（I）
【化４】
2005502649.tif 000004
（式中、Ａｒ、Ｒ1およびＲ2は、請求項１に定義したとおりである）
の化合物を得ること、または
bi）式（b）
【化５】
2005502649.tif 000005
（式中、Ｐは保護基であり、Ｒ1は請求項１に定義したとおりである）
の化合物を、式
【化６】
2005502649.tif 000006
の化合物と反応させること、
bii）さらに、式
【化７】
2005502649.tif 000007
（式中、Ａｒは請求項１に定義したとおりであり、Ｈａｌはハロゲン化物である）
のグリニャール試薬と反応させること、
biii）脱保護すること、および
biv）場合によりアルキル化して、式（I）
【化８】
2005502649.tif 000008
（式中、Ａｒ、Ｒ1およびＲ2は、請求項１に定義したとおりである）
の化合物を得ること、ならびに所望の場合、得られた化合物を薬学的に許容され得る酸付加塩に変換することを含む方法。
【請求項１３】
請求項１２記載の方法または等価な方法により製造される、請求項１〜９のいずれか一項記載の式Ｉの化合物。
【請求項１４】
病気の処置用医薬を製造するのための、請求項１〜９のいずれか一項記載の化合物の使用。
【請求項１５】
５−ＨＴ６レセプターに関連する病気の処置用医薬を製造するための、請求項１〜９のいずれか一項記載の化合物の使用。
【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
式(I)：
【化１】
2005502656.tif 000001
[式中、
Ｒ1及びＲ2は独立して、水素、場合により置換されていてもよいＣ1-7アルキル基、Ｃ3-20ヘテロシクリル基若しくはＣ5-20アリール基であるか、又は、Ｒ1とＲ2はそれらが結合している窒素原子と一緒に4〜8個の環原子を有する、場合により置換されていてもよいヘテロ環を形成していてもよく、
Ｒ3は、場合により置換されていてもよいＣ5-20アリール基である]
で表される化合物並びにその異性体、塩、溶媒和物、化学的に保護されている形態及びプロドラッグ。
【請求項２】
Ｒ1とＲ2が、それらが結合している窒素原子と一緒に、5個、6個又は7個の環原子を有するヘテロ環を形成している、請求項1に記載の化合物。
【請求項３】
Ｒ1とＲ2及びそれらが結合している窒素原子によって形成されているヘテロ環が6個の環原子を有する、請求項2に記載の化合物。
【請求項４】
前記ヘテロ環が、前記窒素原子の他にさらに1個の環ヘテロ原子を有している、請求項2又は3に記載の化合物。
【請求項５】
Ｒ3がＣ5-20カルボアリール基である、請求項1〜4のいずれか1項に記載の化合物。
【請求項６】
Ｒ3が、ヒドロキシ、ハロ、カルボキシ、アミノ、アミド、ホルミル、シアノ、Ｃ5-20アリール、Ｃ1-7アルキル、アシル、アシルアミド、エステル及びエーテルから選択される1個以上の置換基を有するフェニル基である、請求項5に記載の化合物。
【請求項７】
請求項1〜6のいずれか1項に記載の化合物と製薬上許容される担体又は希釈剤を含む組成物。
【請求項８】
ヒト又は動物の体の治療方法で使用される、請求項1〜6のいずれか1項に記載の化合物。
【請求項９】
DNA-PKの活性を阻害するための薬物を調製するための、請求項1〜6のいずれか1項に記載の化合物の使用。
【請求項１０】
癌治療における補助薬として使用される薬物を調製するための、又は、電離放射線若しくは化学療法薬を用いた腫瘍細胞の治療効果を増強するための薬物を調製するための、請求項1〜6のいずれか1項に記載の化合物の使用。
【手続補正書】
【提出日】平成16年5月12日(2004.5.12)
【手続補正１】
【補正対象書類名】明細書
【補正対象項目名】００１８
【補正方法】変更
【補正の内容】
【００１８】
図１に示す検知器システムは、周囲媒質をエバネッセント波検知するための集積光導波管と分光法のための波長変調技法を使用する。信号発生器１が光源２に接続され、それによって、このいわゆる信号発生器は正弦変調に関する一般方程式により波長変調を実行する。
【手続補正２】
【補正対象書類名】明細書
【補正対象項目名】００１９
【補正方法】変更
【補正の内容】
【００１９】
ここで、一般方程式は、それぞれ光源２によって発生する光強度Ｉｏｐｔおよび光の場Ｅに関するものであり、強度変調率Ｍと、変調周波数ｖｍと、時間ｔと、強度変調と光周波数変調との間の位相遅れφと、中心光周波数ｖ０回りの光周波数の偏差に対応する光周波数変調振幅Δｖｍと、に依存する。
【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
ＩＩＩ族およびＩＩＡ族からなる群から選ばれる少なくとも１つの元素を有する少なくとも１つの化合物、ならびにＩＡ族、ＩＶＡ族、ＶＩ族、ＶＩＩ族、ＶＩＩＩ族、ＩＢ族、ＩＩＢ族およびこれらの組合せからなる群から選ばれる少なくとも１つの元素を有する少なくとも１つの化合物を含む触媒混合物を与え；
前記触媒混合物を、酸化させる燃料と混合する前に、前記触媒混合物の一部を燃焼用空気と混合し；そして
前記燃料を酸化させることを含む、燃料を酸化させる方法。
【手続補正書】
【提出日】平成16年4月23日(2004.4.23)
【手続補正１】
【補正対象書類名】特許請求の範囲
【補正対象項目名】全文
【補正方法】変更
【補正の内容】
【特許請求の範囲】
【請求項１】
血清中ＭＩＳレベルと卵巣の予備能とを相関させる方法であって、
（ａ）被験者中の血清中ＭＩＳレベルを測定し；および
（ｂ）該被験者から回収される卵細胞の数を測定する、
ことを含む、該方法。
【請求項２】
血清中ＭＩＳレベルと卵巣の予備能とを相関させる方法であって、
（ａ）被験者中の血清中ＭＩＳレベルを測定し；および
（ｂ）該被験者から回収される卵細胞の質を測定する、
ことを含む、該方法。
【請求項３】
被験者における卵巣の予備能を評価する方法であって、
（ａ）被験者における血清中ＭＩＳレベルを測定し；および
（ｂ）該測定血清中ＭＩＳレベルを、ＭＩＳ血清中レベルと回収卵母細胞の数とを相関するデータと比較し、その結果、被験者における卵巣の予備能を評価する、
ことを含む、該方法。
【請求項４】
血清中ＭＩＳレベルと回収卵細胞の数とを相関するデータをチャートによって示す、請求項３記載の方法。
【請求項５】
血清中ＭＩＳレベルと回収卵細胞の数とを相関するデータをコンピュータープログラムによって示す、請求項３記載の方法。
【請求項６】
卵巣の予備能を測定するための診断用キットであって、
（ａ）血清中ＭＩＳレベルを測定する方法；
（ｂ）血清中ＭＩＳレベルと回収卵細胞の数とを相関するチャート；および、
（ｃ）使用のための指令、
を含む、該キット。
【請求項７】
ＭＩＳに対するモノクローナル抗体を用いて血清中ＭＩＳレベルを測定する、請求項６記載のキット。
【請求項８】
ＭＩＳに対するポリクローナル抗体を用いて血清中ＭＩＳレベルを測定する、請求項６記載のキット。
【請求項９】
排卵誘発に対する卵巣の応答を予測する方法であって、
（ａ）被験者における血清中ＭＩＳレベルを測定し；
（ｂ）該測定レベルを標準レベルと比較し；その結果、排卵誘発に対する卵巣の応答を予測する、
ことを含む、該方法。
【請求項１０】
排卵誘発に対する卵巣の応答を予測するキットであって、
（ａ）血清中ＭＩＳレベルを測定する方法；
（ｂ）血清中ＭＩＳレベルと回収卵細胞の数とを相関するデータ；および
（ｃ）指令、
を含む、該キット。
【請求項１１】
血清中ＭＩＳレベルと回収卵細胞の数とを相関するデータをチャートによって示す、請求項１０記載のキット。
【請求項１２】
血清中ＭＩＳレベルと回収卵細胞の数とを相関するデータをコンピュータープログラムによって示す、請求項１０記載のキット。
【請求項１３】
過剰刺激に対する卵巣応答の予後指標として血清中ＭＩＳレベルを測定するための、モノクローナル抗体を含有するキット。
【請求項１４】
被験者における卵巣の過剰刺激の危険を評価する方法であって、
（ａ）該被験者における血清中ＭＩＳレベルを測定し；および
（ｂ）該血清中ＭＩＳレベルと標準レベルとを比較する、
ことを含む、該方法。
【請求項１５】
卵巣の過剰刺激の危険を排卵誘発の間に評価する、請求項１４記載の方法。
【請求項１６】
被験者における卵巣過剰刺激の危険を評価するためのキットであって、
（ａ）該被験者における血清中ＭＩＳレベルを測定するための方法；および、
（ｂ）比較のための標準的な血清中ＭＩＳレベルのデータ、
を含む、該キット。
【請求項１７】
卵細胞の質の予後指標として生理学的なＭＩＳレベルを測定するための、ＭＩＳに対するモノクローナル抗体を含有するキット。
【請求項１８】
卵細胞の量の予後指標として生理学的なＭＩＳレベルを測定するための、ＭＩＳに対するモノクローナル抗体を含有するキット。
【請求項１９】
被験者における卵胞発育を刺激する方法であって、女性被験者に治療学的に有効な用量のＭＩＳを投与することを含む、該方法。
【請求項２０】
ＭＩＳを医薬的に許容し得る担体と組み合わせる、請求項１９記載の方法。
【請求項２１】
ＭＩＳを非経口的に投与する、請求項１９記載の方法。
【請求項２２】
被験者におけるゴナドトロピンを変える方法であって、女性被験者に治療学的に有効な量のＭＩＳを投与することを含む、該方法。
【請求項２３】
ＭＩＳを医薬的に許容し得る担体と組み合わせる、請求項２２記載の方法。
【請求項２４】
ＭＩＳを非経口的に投与する、請求項２２記載の方法。
【請求項２５】
不妊症処置に対する良いレスポンダーを同定する方法であって、被験者における血清中ＭＩＳレベルを測定することを含む、該方法。
【請求項２６】
不妊症処置に対する乏しいレスポンダーを同定する方法であって、被験者における血清中ＭＩＳレベルを測定することを含む、該方法。
【請求項２７】
排卵誘発薬物の使用を追跡しおよびその結果を予測するために、ＭＩＳの有無を同定するためのキット。
【請求項２８】
被験者における卵巣過剰刺激を予測するためのキットであって、被験者における血清中ＭＩＳ濃度を測定するための手段を含有する、キット。
【請求項２９】
体外受精周期のキャンセルを予測するためのキットであって、被験者における血清中ＭＩＳ濃度を測定するための方法を含有する、キット。
【手続補正書】
【提出日】平成16年12月15日(2004.12.15)
【手続補正１】
【補正対象書類名】特許請求の範囲
【補正対象項目名】全文
【補正方法】変更
【補正の内容】
【特許請求の範囲】
【請求項１】
外科的な組織アブレーションデバイスであって、以下：
アンテナ管腔を有するカテーテルシャフト；
該カテーテルシャフトのアンテナ管腔に保持されたインピーダンス整合したマイクロ波アンテナ；
該アンテナ管腔の周囲のカテーテルシャフト内の、冷却流体の循環のための少なくとも１つの冷却管腔；および
該カテーテルシャフトの近位を取り巻く組織を含む、処置の標的とされた組織において、制御された位置およびサイズを有する損傷を生成するために該アンテナに電圧負荷するために、該アンテナと機能的に連結されるマイクロ波生成器、
を備える、組織アブレーションデバイス。
【請求項２】
請求項１に記載の組織アブレーションデバイスであって、以下：
処置の標的とする組織に貫入するための前記カテーテルシャフトの一端に装着されたチップ、
をさらに備える、組織アブレーションデバイス。
【請求項３】
請求項１に記載の組織アブレーションデバイスであって、前記カテーテルシャフトが、約４．７５ミリメートル（ｍｍ）の外径を有し、前記アンテナ管腔が、約２．５４ｍｍの直径を有し、少なくとも１つの冷却管腔が、約０．７６ｍｍの厚さを有し、かつ、少なくとも１つの冷却管腔の周囲の壁厚が、約０．１２ｍｍである、組織アブレーションデバイス。
【請求項４】
請求項１に記載の組織アブレーションデバイスであって、前記カテーテルシャフトが、約３．４５ミリメートル（ｍｍ）の外径を有し、前記アンテナ管腔が、約２．５４ｍｍの直径を有し、少なくとも１つの冷却管腔が、約０．２０ｍｍの厚さを有し、かつ、少なくとも１つの冷却管腔の周囲の壁厚が、約０．１２ｍｍである、組織アブレーションデバイス。
【請求項５】
前記少なくとも１つの冷却管腔が、前記アンテナ管腔の周囲に４つの冷却管腔を備える、請求項１に記載の組織アブレーションデバイス。
【請求項６】
組織を熱的に処置する方法であって、以下の工程：
インピーダンス整合したマイクロ波アンテナを保持するカテーテルシャフトを用いて、処置のために標的とする組織に貫入する工程；および
該カテーテルシャフトを近位を取り巻く組織を含む、標的とする組織において、制御された位置およびサイズを有する損傷を生成するためにマイクロ波アンテナに電圧負荷する工程；および
該損傷を生成するためにマイクロ波アンテナに電圧負荷する間に、該マイクロ波アンテナの周囲に冷却流体を循環させる工程、
を包含する、方法。
【請求項７】
請求項６に記載の方法であって、標的とする組織に貫入する工程が、以下の工程：
前記標的とする組織へポートを通じて前記カテーテルシャフトを腹腔鏡的に挿入する工程、
を包含する、方法。
【請求項８】
請求項６に記載の方法であって、標的とする組織に貫入する工程が、以下の工程：
前記標的とする組織へ皮膚を通じて前記カテーテルシャフトを経皮的に挿入する工程、
を包含する、方法。
【請求項９】
前記マイクロ波アンテナに電圧負荷する工程が、約１０分以内に実施される、請求項６に記載の方法。
【請求項１０】
前記損傷が、約２センチメートルより大きい全直径を有する、請求項６に記載の方法。
【請求項１１】
前記冷却流体が、約３７℃の温度を有する、請求項６に記載の方法。
【請求項１２】
マイクロ波アンテナに電圧負荷する工程が、約５０ワットの一定電力を送達する工程を包含する、請求項６に記載の方法。
【手続補正書】
【提出日】平成16年7月29日(2004.7.29)
【手続補正１】
【補正対象書類名】明細書
【補正対象項目名】００３２
【補正方法】変更
【補正の内容】
【００３２】
バイブレータ２６は、前記波状ワイヤ１５０に直に取り付けられる。再びバイブレータハウジング２６は、振動板２０および２２にボルト締めされる。波状ワイヤ１５０は、振動板２０および２２の間に挟まれる。好ましい実施形態では、繊維状のマット１５６の素材が、波状ワイヤ１５０と振動板２０および２２との摩滅を減らすために、振動板２０および２２の間に配置されても良い。これは、本発明の全てのバージョンでのオプションである。
【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
スプレーガン用流体リザーバ（３０、６０、８０）であって、第１の実質的閉鎖端部（３６、６４）および使用時にスプレーガン（１）に連結可能な第２の開放端部（３８、６８、９１）を備える本体（３２、６６、８２）と、スプレーガン（１）から分離されているときに動作して該本体（３２、６６、８２）内部に少なくとも部分的な真空を形成し、それにより該開放端部を介して流体（５７、７４、１０８）を該リザーバ（３０、６０、８０）内に引き込む真空形成要素（３４、６４、８４）とを含んで成る、スプレーガン用流体リザーバにおいて、
前記少なくとも部分的な真空を制御する手段（４２、５９、５９ａ、６６、１０４）を備え、それにより、前記リザーバ（３０、６０、８０）の前記開放端部（３８、６８、９１）が前記スプレーガン（１）に連結されたときに、前記リザーバ（３０、６０、８０）の外部から前記真空形成要素（３４、６６、８４）に加えられる操作力とは無関係に、流体（５７、７４、１０８）を、前記開放端部（３８、６８、９１）を介して前記リザーバ（３０、６０、８０）から取り出して前記スプレーガン（１）に供給できることを特徴とする流体リザーバ。
【請求項２】
前記本体（３２）がシリンジ本体であり、前記真空形成要素（３４）が、前記本体（３２）内に位置する封止部材（５４）と前記第１の端部（３６）における開口を貫通するシャンク（５２）とを有するプランジャである、請求項１に記載の流体リザーバ。
【請求項３】
前記封止部材（５４）が、前記本体（３２）の壁（４４）に摺動可能かつシール可能に係合して、前記シリンジ本体（３２）を２つのチャンバ（４０ａ、４０ｂ）に分割し、前記プランジャ（３４）が前記第２の開放端部（３８）から離れて前記第１の端部（３６）に向かって移動することにより、前記本体（３２）に前記少なくとも部分的な真空を形成して、流体（５７）を前記リザーバ（３０）に引き込むようになっている、請求項２に記載の流体リザーバ。
【請求項４】
前記少なくとも部分的な真空を制御する前記手段（４２）が、前記本体（３２）の前記第１の端部（３６）に近接して前記本体（３２）の壁を貫通する開口部（４２）を含んで成り、それにより、使用時に、前記封止部材（５４）を前記第２の開放端部（３８）から、前記第２の開放端部（３８）と該開口部（４２）との間の第１位置へと移動して、流体（５７）を前記リザーバ（３０）に引き込むとともに、該開口部（４２）と前記第１の閉鎖端部（３６）との間の第２位置へと移動して、流体を前記リザーバ（３０）から前記第２の開放端部（３８）を介して取り出すことができるように構成されている、請求項２または３に記載の流体リザーバ。
【請求項５】
前記少なくとも部分的な真空を制御する前記手段（５９）が、前記本体（３２）内部の前記封止部材（５４）から前記本体（３２）の外部の位置まで前記プランジャ（３４）を通して延びる通路（５９）と、該通路（５９）の開閉を行う解除可能なクロージャー（５９ａ）とを含んで成り、それにより使用時に、該通路（５９）を、該クロージャー（５９ａ）により閉鎖して、前記第２の開放端部（３８）から離れる前記封止部材（５４）の移動により流体（５７）を前記本体（３２）に引き込むとともに、該クロージャー（５９ａ）の解除により開放して、流体（５７）を前記第２の開放端部（３８）から取り出せるように構成されている、請求項２または３に記載の流体リザーバ。
【請求項６】
前記本体（６６）が折り畳み可能な蛇腹型本体（６６）であり、その前記第１の閉鎖端部（６４）が前記真空形成要素を構成して、前記開放端部（６８）から離れる前記閉鎖端部（６４）の移動により形成される前記少なくとも部分的な真空によって、流体（７４）を前記本体（６６）に引き込むことができるようになっており、前記少なくとも部分的な真空を制御する前記手段（６６）が、該折り畳み可能な蛇腹型本体（６６）によって形成されている、請求項１に記載の流体リザーバ。
【請求項７】
前記本体（８２）がピペット（８２）であり、該ピペットは、流体（１０８）を前記本体（８２）に引き込むための前記真空形成要素を構成するフィラー（８４）を前記第１の閉鎖端部に有するとともに、流体（１０８）を前記本体（８２）から取り出せるように前記部分的な真空を制御するための弁手段（１０２、１０４）を有している、請求項１に記載の流体リザーバ。
【請求項８】
前記本体（３２、８２）の前記第２の開放端部（３８、６８、９１）が、使用時に前記第２の開放端部（３８、６８、９１）をスプレーガン（１）に解除可能に連結するように構成された装着部（４６、７０、９２）、または前記リザーバ（３０、６０、８０））を封止するクロージャー（１１８、１２２、１２６）を備えている、請求項１〜７のいずれか一項に記載の流体リザーバ。
【請求項９】
使用時に前記装着部（４６、７０、９２）をスプレーガン（１）に解除可能に取り付けるためのアダプタ（５５、５５ａ、５５ｂ）を備えている、請求項８に記載の流体リザーバ。
【請求項１０】
前記リザーバ（３０、６０、８０）が、一回限りの使い捨てリザーバ（３０、６０、８０）である、請求項１〜９のいずれか一項に記載の流体リザーバ。
【請求項１１】
前記リザーバ（３０，６０，８０）が、使用時に溶液または混合物から溶剤の蒸気が逃げるのを実質的に防止する、請求項１〜１０のいずれか一項に記載の流体リザーバ。
【手続補正書】
【提出日】平成16年10月26日(2004.10.26)
【手続補正１】
【補正対象書類名】明細書
【補正対象項目名】００２２
【補正方法】変更
【補正の内容】
【００２２】
本発明は従って、３成分Ａ、ＢおよびＣを含有する乳化剤組成物であって、
成分Ａが、４〜１２個のＡＯ単位でアルコキシル化されたＣ６−Ｃ１４−アルカノールまたは複数の該アルカノールの混合物であり、
成分Ｂが、１５〜３０個のＡＯ単位でアルコキシル化されたＣ１２−Ｃ２４−脂肪アルコールの混合物であり、
成分Ｃが、４０〜１００個のＡＯ単位でアルコキシル化されたＣ１２−Ｃ２４−脂肪アルコールの混合物である、
ことを特徴とする乳化剤組成物を提供する。
【手続補正書】
【提出日】平成16年5月11日(2004.5.11)
【手続補正１】
【補正対象書類名】特許請求の範囲
【補正対象項目名】全文
【補正方法】変更
【補正の内容】
【特許請求の範囲】
【請求項１】
MEMS装置を形成する方法であって、
基板の上に第１の犠牲層を形成するステップと、
前記第１の犠牲層の上に第２の犠牲層を形成するステップと、
前記第２の犠牲層の上にキャッピング層を形成するステップであって、前記キャッピング層が、完成したMEMS装置の最も外側の表面を提供する、ステップと、および
単一のエッチングステップにおいて、前記第１および第２の犠牲層の一部を除去して、MEMS構造体をリリースし、かつ前記キャッピング層により部分的に画定されたキャビティを形成する、ステップとを含む、方法。
【請求項２】
前記単一のエッチングステップが、フッ化希ガスを用いて行われる、請求項１の方法。
【請求項３】
前記単一のエッチングステップが、２フッ化キセノンを用いて行われる、請求項１の方法。
【請求項４】
前記単一のエッチングステップが、ガス状のエッチャントを用いて行われる、請求項１の方法。
【請求項５】
前記第２の犠牲層を形成する前に、前記第１の犠牲層の上に第１のエッチストップ層を形成するステップと、および
前記第１の犠牲層の一部が前記第２の犠牲層の一部に接触することができるように、前記第１のエッチストップ層に穴を形成するステップとをさらに含む、請求項１の方法。
【請求項６】
前記第１および第２の犠牲層の一部を除去する前に、前記単一のエッチングステップ中にガス状のエッチャントに対して前記第１および第２の犠牲層をさらすために前記キャッピング層にアクセス穴を形成するステップと、および
前記アクセス穴を封止するステップとをさらに含む、請求項５の方法。
【請求項７】
前記キャビティにゲッタリング材料を提供するステップと、および
前記キャビティを気密封止するステップとをさらに含む、請求項１の方法。
【請求項８】
前記キャッピング層のアクセス穴を封止するステップであって、前記アクセス穴を用いて、前記第１および第２の犠牲層を前記単一のエッチングステップ中にガス状のエッチャントにさらす、ステップとさらに含む、請求項１の方法。
【請求項９】
内部に制御された雰囲気を生成するために前記キャビティを封止するステップをさらに含む、請求項１の方法。
【請求項１０】
希ガスを備える前記キャビティを封止するステップをさらに含む、請求項１の方法。